(57)【要約】【課題】埃の堆積を防ぎ、高い放熱性を備えながら軽量化を可能とした照明器具を提供する。【解決手段】本発明の実施形態に係る照明装置は、器具本体と、前記器具本体前面側に設けられる光源部と、前記器具本体の背面側に一方が熱的に接続して取付けられ、他方の一部が曲折されて形成されている複数の放熱板と、を有する。【選択図】図１
2018120727.tif 000002
【特許請求の範囲】
【請求項１】
器具本体と；
前記器具本体前面側に設けられる光源部と；
前記器具本体の背面側に一方が熱的に接続して取付けられ、他方の一部が曲折され形成されているとともに、間隙を有して隣接する複数の放熱板と；
を有することを特徴とする照明器具。
【請求項２】
垂直方向の高さが異なる前記複数の放熱板を有することを特徴とする請求項１に記載の照明器具。
【発明の詳細な説明】
【技術分野】
【０００１】
本発明の実施形態は、放熱器を用いる照明器具に関する。
【背景技術】
【０００２】
従来、例えば高天井などの構造物に取付けられる照明器具では、器具本体の電源は筐体に設置され、筐体の内部に放熱器が収納されていた。
【０００３】
また、基板に複数の発光素子を実装した発光モジュールを用いる場合、発光素子が発生する熱を効率よく放熱するために発光モジュールをこの放熱器に取付けていた。
【０００４】
そして、この放熱器は、発光モジュールを取付ける放熱ベース板およびこのベース板から突出する複数の放熱フィンを備えていた。
【０００５】
このような放熱器は、長期間の使用によって放熱フィンの間に埃が堆積し、放熱の効率が低下するという問題があった。
【０００６】
また、このような高所に設置される照明器具はメンテナンスや交換作業を行うことに危険を伴って困難であった。そのため、低頻度のメンテナンスであっても効率の低下しにくい構造が課題として存在した。
【先行技術文献】
【特許文献】
【０００７】
【特許文献１】特開２０１６−１６２７０６号公報
【発明の概要】
【発明が解決しようとする課題】
【０００８】
本発明が解決しようとする課題は、埃の堆積を防ぎ、高い放熱性を備えながら軽量化を可能とした照明器具を提供することである。
【課題を解決するための手段】
【０００９】
本発明の実施形態に係る照明装置は、器具本体と、前記器具本体前面側に設けられる光源部と、前記器具本体の背面側に一方が熱的に接続して取付けられ、他方の一部が曲折されて形成されている複数の放熱板と、を有する。
【発明の効果】
【００１０】
本発明によれば、放熱器への埃の堆積を防ぎ、長期間にわたって放熱効率の低下を防ぐことが可能となる。
【図面の簡単な説明】
【００１１】
【図１】本発明の第１の実施形態を示す斜視図である。
【図２】本発明の第１の実施形態における放熱器を示す側面図である。
【図３】本発明の第２の実施形態における放熱器を示す側面図である。
【図４】本発明の第３の実施形態における放熱器を示す側面図である。
【発明を実施するための形態】
【００１２】
本発明におけるいくつかの実施例について、図を参照して説明する。なお、本発明の実施形態における照明器具の説明は、天井等への設置面方向を背面側、後述する光源部6の発光面方向を前面側として説明する。
【００１３】
図１は、本発明の第１の実施形態を示す斜視図である。図２は、本発明における第１の実施形態における放熱器4を各放熱フィン41から見た側面を示す図である。
【００１４】
以下、本発明の第１の実施形態について、図１および図２を参照して説明する。
【００１５】
図１に示すように、照明器具は、本体1と、本体1の前面側に設けられる光源部6と、本体1の背面側に一方が熱的に接続して取り付けられ、他方の一部が曲折されるとともに、間隙を有して隣り合う複数の放熱フィン41とを有する。
【００１６】
本体1は、金属などで形成されている。また本体1は、略矩形の板状に形成され、対向する一対の側面に、アーム2を取付けるための取付板11をそれぞれ有する。このとき、取付板11は図１に示すように本体1から背面側に突出していて余分な部材を省くことで軽量化を図ってもよい。また、取付板11を省き、本体1側面に後述のアーム2を取付けられる構造としてもよい。これによれば部材の形状を簡略化することによって生産効率の向上を図ることが可能となる。
【００１７】
取付板11に取り付けられて本体1を支持するアーム2は薄板状の金属などで形成されている。アーム2は、本体1の対向する一対の側面にネジ部材などで取付けられ、本体1の背面側に渡って略コの字状に設けられる。アーム2の背面側である水平部21は、縁部が短手方向から本体1の中心へ向けて曲折され、アーム2の強度を高める構造となっている。
【００１８】
また、水平部21には、例えば高天井等に設置するための取付孔211が複数設けられている。取付板11に取付けられる一対の対向する取付部22は、ネジ部材などで支持固定するための固定孔221と、本体1の支持固定および角度調整を行うための、固定孔221を中心とした円周に沿う形状の長孔222からなる。
【００１９】
後述する光源部6に電気的に接続して点灯発光させる電源3は、アーム2の高さ方向中心よりも背面側に取付けられて設けられている。このとき電源3は、アーム2の対向する一対の側面（固定孔221や長孔222が設けられている面）に取付けられている。この構造により、電源3は放熱器4との空間を空けて配設されるため、放熱器4から背面への放熱を妨げない。
【００２０】
なお、電源3はアーム2に取付けず別置とすることで放熱器4の背面側に広い開放空間を設けることにより、照明器具の軽量化および放熱効率の向上を図ってもよい。
【００２１】
また、本体1の背面側には、本体1と熱的に接続された放熱器4が、空気中に露出するよう設けられている。放熱器4は例えばアルミニウムなどの放熱性の高い金属によって形成される。放熱器4は、本体1から略垂直に突出し、間隙を有して隣接させ、配設される複数のフィン41からなる。フィン41は一方が本体1と熱的に接続され、本体1と接続されていない部分である他方は空気に露出するよう設けられている。
【００２２】
このとき、フィン41はアルミダイカストなどの押し出し形成により本体1と一体として形成されていてもよいし、別部材として本体1に熱的に接続されて設けられていてもよい。一体として形成される場合は工数の削減による照明器具の製造効率を向上させることが可能である。また、フィン41を別部材として設ける場合は、本体1およびフィン41の各部材が板金による単純な形状となるため形成しやすく、設計に応じてフィン41の位置や大きさを変更することが簡便になる。
【００２３】
本体1の前面側には、放熱シート5を介して光源部6が配設される。
【００２４】
また、放熱シート5は、グリスなど熱伝導性の高いゲル状物質を薄く延ばして塗りつけることで本体1と光源部6との密着性および熱伝導性を高めてもよい。
【００２５】
光源部6は、例えばLEDなどの発光素子が前面側に複数配設された基板からなる。この基板に設けられた不図示の複数の孔にネジ部材などを取り付けることで光源部6は本体1に支持固定される。
【００２６】
光源部6の前面側には、透光性のカバー（不図示）が設けられている。カバーは本体1の前面側縁部など光源部6の発光を妨げない位置に設けられた孔およびネジ部材などにより本体1に支持固定される。
【００２７】
次に、放熱器4のフィン41について詳述する。
【００２８】
フィン41は高さの異なる矩形の板金などで形成され、複数枚を本体1の背面側に略垂直に並列されて設けられる。図２に示すように、第２の実施形態では、フィン41は本体1の縁部に配設されたものが最も高く、本体1の中心に近づくにつれ低くなるように、側面から見て略V字状に並べて設けられている。この構造によれば、熱のこもりやすい放熱器中心部に向かうほどフィン41長手方向から外気を多量に取り込むことが可能となるため、効率のよい放熱が可能となる。このとき、フィン41は必ずしも本体1に略垂直でなくともよく、斜めに設けられていてもよい。また、図２の水平方向である曲折部411の長さbは、隣接するフィンまでの距離aより長く形成して埃の堆積防止効果を高めてもよいし、隣接するフィン41までかからない長さとして形成し、背面側の間隙を大きくすることで放熱の効果を高めてもよい。
【００２９】
また、フィン41は、背面側の外縁部が本体1の背面中心に向けて略直角である略L字状に曲折された曲折部411を備えている。この構造により照明器具の背面側からの埃の侵入と堆積を防ぐことが可能となる。また、曲折部411は隣接するフィン41や隣接するフィン41の曲折部411には接触しないよう、間隙（図２、破線円で示す）を設けて配設される。これにより、曲折部411が形成されていても放熱フィン41や本体1から背面側への放熱経路を妨げず、効率のよい大気との熱交換が可能となる。
【００３０】
図２ではフィン41の背面側端部が曲折された部分を曲折部411と示しているが、曲折部411はフィン41の背面側の一部であればよく、例えばフィン41の面の一部を切り欠いて折り曲げ、略ト字状としてもよい。この構造によれば、曲折部411を設けるための部材原料が少なくすむため生産費用の削減につながるとともに、フィン41の側面からも外気を取り込むことで効率のよい放熱が可能となる。
【００３１】
また、フィン41とは別部材である曲折部411をフィン41の面に取り付け、側面から見て略L字状または略ト字状に形成してもよい。さらに曲折部411のフィン41に対する角度は埃の堆積防止に重点を置いて略直角としてもよいし、放熱性の向上に重点を置いて広角に形成してもよい。
【００３２】
曲折部411の水平方向の長さbは、高さの異なる隣り合うフィン41およびその曲折部411との距離aよりも長く形成されている。これにより、器具背面側からフィン41間への埃の侵入および堆積を防ぐことが可能となる。そのため、従来電源3を置くと共に放熱器4の背面側を覆っていた電源取付筐体がなくとも埃の堆積を抑制できるので、照明器具の部材減少、小型化および軽量化が可能となる。
【００３３】
また、隣り合うフィン41同士の高さを変えることにより、放熱器4から背面側への熱の発散および空気の流れを損なわず、効率のよい放熱が可能となる。
【００３４】
次に、第２の実施形態について図３を参照して説明する。図３は、第２の実施形態における放熱器4の側面を示す図である。第２の実施形態は、第１の実施形態の放熱器4におけるフィン41および曲折部411の変形であり、その他の構成については第１の実施形態と同様である。破線円で示す部分は、隣接するフィン41間に設けられる間隙である。
【００３５】
第２の実施形態は、図３に示すように、側面が略山型となるように複数のフィン41が並列して配設されている。また、曲折部411は本体1の外部に向けてフィン41の側面が略L字状になるよう曲折されている。この構造により、側面からの空気を低いフィン41から高いフィン42にまで効率よく接触させることができ、放熱性の向上が期待できる。
【００３６】
次に、第３の実施形態について図４を参照して説明する。図４は、第３の実施形態における放熱器4の側面を示す図である。第３の実施形態は、第１の実施形態の放熱器4におけるフィン41および曲折部411の変形であり、その他の構成については第１および第２の実施形態と同様である。なお、隣接するフィン41間の距離a1（図２、図３ではa） および隣接するフィン41間にかかる曲折部411の水平長さ( b1 + b2 )（図２、図３ではb）は全て一定間隔でなくともよく、異なる長さのフィン41間距離a’1およびフィン41間にかかる曲折部411の水平長さ( b’1 + b’2 )を設けてもよい。
【００３７】
第３の実施形態は、図４に示すように、側面が略山型となるように複数のフィン41が並列して配設されている。また、曲折部411は、フィン41の側面が略T字状となるように形成されている。この構成により、本体1の中心部にも埃が堆積することを防ぐと共に、フィン41間からの発散された熱が略鉛直な気流に沿って照明器具の背面側へ流れるため、より気流を妨げず効率のよい放熱が可能となる。このとき曲折部411とフィン41の略T字状となる側面から見たときの交点は、曲折部411の長さ( b1 , b2 )方向の中心点であってもよいし、不均衡な位置にあってもよい。
【００３８】
また、第４の実施例として側面が略T字状となるように形成されたフィン41および曲折部411は、例えば２種類の高さに形成され、高いフィン41と低いフィン41を交互に並列させて設けて放熱器4としてもよい。この構造によれば、熱を発散する気流を妨げず、また器具の小型化も可能となる。
【００３９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
1…本体
11…取付板
2…アーム
21…水平部
211…取付孔
22…取付部
221…固定孔
222…長孔
3…電源
4…放熱器
41…放熱フィン
411…曲折部
5…放熱シート
6…光源部
a…隣接する放熱フィンとの距離
b…曲折部の水平長さ
○（破線）…間隙
【図１】
2018120727.tif 000003
【図２】
2018120727.tif 000004
【図３】
2018120727.tif 000005
【図４】
2018120727.tif 000006